【手続補正書】
【提出日】平成15年9月8日(2003.9.8)
【手続補正１】
【補正対象書類名】明細書
【補正対象項目名】発明の名称
【補正方法】変更
【補正の内容】
【発明の名称】注入制御システム
【手続補正２】
【補正対象書類名】明細書
【補正対象項目名】特許請求の範囲
【補正方法】変更
【補正の内容】
【特許請求の範囲】
【請求項１】
手術中の眼内圧を制御する制御システムであって、
ａ．ｉ）制御モジュール、
ii）注入液供給源に与圧するための与圧源、
iii）注入液供給源圧力センサー及び
iv）洗浄ライン圧力センサー
を有する制御装置を具備し、
ｂ．手術中の所要の眼内圧を選定し、
ｃ．前記洗浄ライン圧力センサーから洗浄ライン圧力情報を前記制御モジュールに与え、
ｄ．前記注入液供給源圧力センサーから注入液供給源圧力情報を前記制御モジュールに与え、
ｅ．前記制御モジュールに与えられる前記洗浄ライン圧力情報及び前記注入液供給源圧力情報を用いて手術中の眼内圧を計算し、
ｆ．前記計算された手術中の眼内圧を前記選定された手術中の所要の眼内圧と比較し、
ｇ．前記計算された手術中の眼内圧と前記選定された手術中の所要の眼内圧との間の前記比較に基づいて前記与圧源の動作を調節する、
制御システム。
【請求項２】
前記制御装置がハンドピース電源をさらに有する請求項１に記載の制御システム。
【請求項３】
前記制御モジュールは、前記洗浄ライン圧力センサーによって与えられる前記洗浄ライン圧力情報に基づいて、前記ハンドピース電源の動作を変更することができる請求項２に記載の制御システム。
【請求項４】
前記制御モジュールは、前記注入液供給源圧力センサーによって与えられる前記注入液供給源圧力情報に基づいて、前記ハンドピース電源の動作を変更することができる請求項１に記載の制御システム。
【請求項５】
前記制御モジュールは、前記洗浄ライン圧力センサーによって与えられる前記洗浄ライン圧力情報に基づいて、又は前記注入液供給源圧力センサーによって与えられる前記注入液供給源圧力情報に基づいて、可聴音を発することができる請求項１に記載の制御システム。
【請求項６】
前記注入液供給源は可撓性を有し、前記注入液供給源のための前記与圧源は、前記注入液供給源を圧縮するための機構を有する請求項１に記載の制御システム。
【請求項７】
前記注入液供給源を圧縮するための前記機構がローラー機構を有する請求項６に記載の制御システム。
【請求項８】
前記注入液供給源を圧縮するための前記機構が圧縮板を有する請求項６に記載の制御システム。
【請求項９】
前記制御モジュールは吸引ポンプをさらに有し、前記制御モジュールは、前記制御モジュールに与えられる前記洗浄ライン圧力情報又は前記注入液供給源圧力情報に基づいて、前記吸引ポンプの動作を変更することができる請求項１に記載の制御システム。
【請求項１０】
手術中の創傷部位の温度を制御する制御システムであって、
ａ．ｉ）制御モジュール、
ii）ハンドピース電源及び
iii）注入液流れを測定する手段
を有する制御装置を具備し、
ｂ．手術中の所要の創傷部位温度を選定し、
ｃ．注入液流れ情報を前記制御モジュールに与え、
ｄ．前記ハンドピース電源からハンドピース電力情報を前記制御モジュールに与え、
ｅ．現在及びそれ以前の注入液流量及びハンドピース電力の値に基づいて、前記創傷部位における現在温度を計算し、
ｆ．前記創傷部位の前記計算された現在温度と前記選定された手術中の所要の創傷部位温度とを比較し、
ｇ．前記創傷部位の前記計算された現在温度と前記選定された手術中の所要の創傷部位温度との間の前記比較に基づいて、前記ハンドピース電源の動作を調節する、
制御システム。
【請求項１１】
前記制御モジュールは吸引ポンプをさらに有し、前記制御モジュールは、前記計算された創傷部位の現在温度に基づいて、前記吸引ポンプの動作を変更することができる請求項１０に記載の制御システム。
【請求項１２】
前記制御モジュールが、前記計算された創傷部位の現在温度に基づいて可聴音を発することができる請求項１０に記載の制御システム。
【請求項１３】
前記制御装置が、注入液供給源及び該記注入液供給源のための与圧源をさらに有する請求項１０に記載の制御システム。
【請求項１４】
前記注入液供給源は可撓性を有し、前記与圧源は、前記注入液供給源を圧縮するための機構を有する請求項１３に記載の制御システム。
【請求項１５】
前記注入液供給源を圧縮するための前記機構がローラー機構を有する請求項１４に記載の制御システム。
【請求項１６】
前記注入液供給源を圧縮するための前記機構が圧縮板を有する請求項１４に記載の制御システム。
【請求項１７】
注入液流れを測定する前記手段が注入液供給源を圧縮するための機構を有する請求項１０に記載の制御システム。
【請求項１８】
前記注入液供給源を圧縮するための前記機構がローラー機構を有する請求項１７に記載の制御システム。
【請求項１９】
前記注入液供給源を圧縮するための前記機構が圧縮板を有する前記請求項１７に記載の制御システム。
【請求項２０】
手術中の眼内圧を制御する制御システムであって、
ａ．ｉ）制御モジュール、
ii）注入液供給源に与圧するための与圧源及び
iii）注入液供給源圧力センサー
を有する制御装置を具備し、
ｂ．手術中の所要の眼内圧を選定し、
ｃ．洗浄ライン液体流れ及び注入液供給源圧力情報を前記制御モジュールに与え、
ｄ．前記制御モジュールに与えられる前記洗浄ライン液体流れ情報及び前記注入液供給源圧力情報を用いて手術中の眼内圧を計算し、
ｅ．前記計算された手術中の眼内圧を前記選定された手術中の所要の眼内圧と比較し、
ｆ．前記計算された手術中の眼内圧と前記選定された手術中の所要の眼内圧との間の前記比較に基づいて前記与圧源の動作を調節する、
制御システム。
【請求項２１】
前記制御装置がハンドピース電源をさらに有する請求項２０に記載の制御システム。
【請求項２２】
前記制御モジュールは、前記制御モジュールに与えられる前記洗浄ライン液体流れ情報に基づいて、前記ハンドピース電源の動作を変更することができる請求項２１に記載の制御システム。
【請求項２３】
前記制御モジュールは、前記制御モジュールに与えられる前記注入液供給源圧力情報に基づいて、前記ハンドピース電源の動作を変更することができる請求項２１に記載の制御システム。
【請求項２４】
前記制御モジュールは、前記制御モジュールに与えられる前記洗浄ライン液体流れ情報又は前記注入液供給源圧力情報に基づいて、可聴音を発することができる請求項２０に記載の制御システム。
【請求項２５】
前記注入液供給源は可撓性を有し、前記注入液供給源のための前記与圧源は、前記注入液供給源を圧縮するための機構を有する請求項２０に記載の制御システム。
【請求項２６】
前記注入液供給源を圧縮するための前記機構がローラー機構を有する請求項２５に記載の制御システム。
【請求項２７】
前記注入液供給源を圧縮するための前記機構が圧縮板を有する請求項２５に記載の制御システム。
【請求項２８】
前記制御モジュールは吸引ポンプをさらに有し、前記制御モジュールは、前記制御モジュールに与えられる前記洗浄ライン液体流れ又は前記注入液供給源圧力情報に基づいて、前記吸引ポンプの動作を変更することができる請求項２０に記載の制御システム。
【手続補正３】
【補正対象書類名】明細書
【補正対象項目名】００２７
【補正方法】変更
【補正の内容】
【００２７】
使用中は、センサー２２２は、供給源２２６からハンドピース２１２へ送られる洗浄液流量を測定し、その情報をケーブル２３６を通じてＣＰＵ２１６に与える。洗浄液流量データは、この技術分野ではよく知られたソフトウェア命令を使用して制御装置２１４の操作パラメータを制御するために、ＣＰＵ２１６に使用されることができる。例えば、ＣＰＵ２１６は、ケーブル２５６を通じて圧力センサー２２７のデータを読み込んでいる間は、ケーブル２５０を通じて与圧源２２９を制御して、供給源２２６からハンドピース２１２に至る洗浄液量を変えることができる。ＣＰＵ２１６はまた、ケーブル２４０を通じて、電力ケーブル２４２を通じてハンドピース２１２に送られる電源２２０の出力を変えることができる。ＣＰＵ２１６はまた、センサー２２２により与えられるデータを使用して、ケーブル２４４を通じてポンプ２１８の動作を変更することができる。ポンプ２１８は、ライン２４６を通じてハンドピース２１２から液体を吸引し、ライン２４８を通じてその液体を捕集容器２２８へ送る。ＣＰＵ２１６はまた、センサー２２２により与えられるデータ及び電源２２０から供給される出力を使用して、使用者に可聴音を発することができる。


【手続補正４】
【補正対象書類名】明細書
【補正対象項目名】００３０
【補正方法】変更
【補正の内容】
【００３０】
図５に示されるように、本発明の第５の実施形態において、ハンドピース４１２の操作に使用される制御システム４１０は、制御装置４１４を有する。制御装置４１４は、通常は制御モジュール又はＣＰＵ４１６、吸引ポンプ４１８、ハンドピース電源４２０、バルブ４２４、与圧源４２９及び圧力センサー４２７を有する。空気流量センサー４２３は、ライン４３２及び４５２を介して与圧源４２９及び注入液供給源４２６に接続される。センサー４２３には、イリノイ州フリーポートのハネウェル社より入手できるモデルＡＷＭ３１００Ｖのような、市販の全ての流量センサーが使用可能である。注入液供給源４２６には、ボトルに入った状態で提供される市販の洗浄溶液が使用可能である。


【手続補正５】
【補正対象書類名】明細書
【補正対象項目名】００３９
【補正方法】変更
【補正の内容】
【００３９】
使用中は、センサー７２２は、洗浄ライン７３４内にある洗浄液のハンドピース７１２における（すなわちその内部の）圧力を測定し、その情報をケーブル７３６を通じてＣＰＵ７１６に与える。洗浄ライン圧力データは、この技術分野ではよく知られたソフトウェア命令を使用して、後に説明するように、制御装置７１４の操作パラメータを制御するために、ＣＰＵ７１６に使用されることができる。例えば、ＣＰＵ７１６は、ケーブル７５６を通じて圧力センサー７２７のデータを読み込んでいる間は、ケーブル７５０を通じて与圧源７２９を制御して、供給源７２６からハンドピース７１２に至る洗浄液量を変えることができる。ＣＰＵ７１６はまた、ケーブル７４０を通じて、電力ケーブル７４２を通じてハンドピース７１２に送られる電源７２０の出力を変えることができる。ＣＰＵ７１６はまた、センサー７２２により与えられるデータを使用して、ケーブル７４４を通じてポンプ７１８の動作を変更することができる。ポンプ７１８は、ライン７４６を通じてハンドピース７１２から液体を吸引し、ライン７４８を通じてその液を捕集容器７２８へ送る。ＣＰＵ７１６はまた、センサー７２２により与えられるデータ及び電源７２０から供給される出力を使用して、使用者に可聴音を発することができる。


【手続補正６】
【補正対象書類名】図面
【補正対象項目名】図２
【補正方法】変更
【補正の内容】
【図２】
2004507321.tif 000001
【手続補正７】
【補正対象書類名】図面
【補正対象項目名】図４
【補正方法】変更
【補正の内容】
【図４】
2004507321.tif 000002